(57)【要約】【課題】  ハンドル本体と該ハンドル本体に回動許容して取付けられるハンドル回転体との組立てに際して、双方を連結して一体化した時点で、回動量検知ボリュームの初期位置とハンドル回転体の初期位置とを位置合せして組立性能の向上を図る。【解決手段】  遊技機の前面に固定して取付けられるハンドル本体と、該ハンドル本体に回転操作を許容して取付けられるハンドル回転体のうち、前記ハンドル回転体に、少なくともタッチセンサと回動量検知ボリュームと発射停止スイッチと発射停止レバーとを取付けて構成する。【選択図】  図８
2006271480.tif 000002
【特許請求の範囲】
【請求項１】
遊技機の前面に回転操作を許容して取付けられるハンドル回転体と、
該ハンドル回転体に手が触れたことを検知するタッチセンサと、
該ハンドル回転体を回転基準位置に復帰させる方向に付勢させる復帰バネと、
前記復帰バネの付勢力に抗して回転させたハンドル回転体の回転量に応じた信号を検知し、この検知信号を発射制御部に出力させて球の発射力を変える回動量検知ボリュームと、
球の発射動作を停止させる発射停止スイッチと、
前記発射停止スイッチをＯＮ・ＯＦＦ操作する発射停止レバーとを有する発射ハンドルであって、
前記遊技機の前面に固定して取付けられるハンドル本体と、
前記ハンドル本体に回転操作を許容して取付けられる手動操作用のハンドル回転体とを備え、
前記ハンドル回転体に、少なくとも前記タッチセンサと回動量検知ボリュームと発射停止スイッチと発射停止レバーとを取付けて構成した
発射ハンドル。
【請求項２】
前記ハンドル本体と前記ハンドル回転体とを連結させる連結面間のうち、前記ハンドル本体側には固定して取付けられた太陽ギアを有し、前記ハンドル回転体側には前記回動量検知ボリュームと一体に連結して回転自由に軸支された遊星ギアを有し、双方のギアを噛合させて前記ハンドル本体とハンドル回転体とを連結する連結時に、前記ハンドル本体の太陽ギアと前記ハンドル回転体の遊星ギアとを噛合させて連結する噛合連結位置を前記ハンドル回転体の回転基準位置に設定した
請求項１に記載の発射ハンドル。
【請求項３】
前記太陽ギアと遊星ギアとの両ギアを端面方向より噛合させる該両ギアの対向する互いのギア端面には、該ギア端面の回転方向の一部のみを開放して端面方向からの噛合を許容するギア開放端面と、該ギア開放端面以外のギア端面を閉鎖して端面方向からの噛合を規制するギア閉鎖端面とを形成した
請求項１又は２に記載の発射ハンドル。
【請求項４】
前記ハンドル回転体に回転自由に軸支されている遊星ギアの回転方向の位置を回転基準位置に設定して位置合せする位置合せ手段を備えた
請求項２又は３に記載の発射ハンドル。
【請求項５】
前記位置合せ手段は、
前記遊星ギアの外周面に形成した回転規制用の回転規制面と、
前記回転規制面と対向するハンドル回転体の対向面に形成される治具挿入溝と、
前記回転規制面と前記治具挿入溝との間に挿入して、前記遊星ギアの回転位置を回転規制して該遊星ギアを回転基準位置に位置決めする位置決め治具と、
からなる請求項４に記載の発射ハンドル。
【発明の詳細な説明】
【技術分野】
【０００１】
この発明は、例えばパチンコ遊技機に備えられるような発射ハンドルに関し、さらに詳しくは組立時のギア間の位置合せの容易化に伴う組立能率の向上を図った発射ハンドルに関する。
【背景技術】
【０００２】
従来のパチンコ遊技機に搭載されている発射ハンドルは、特許文献１に開示されているように遊技機の前面に固定設置されるグリップ本体と、該グリップ本体に回転許容して取付けられるグリップリングと、該グリップリングを覆うハンドルキャップとから構成されている。
【０００３】
このうち、グリップ本体側には、球の発射動作を一時停止させるモータ一時停止スイッチと、該スイッチをＯＮ・ＯＦＦ操作する打球停止ボタンと、グリップリングの回動量を検知して打球を調整するための打球調整用ボリュームと、手が触れたことを検知するタッチセンサなどの部品が搭載されている。
【０００４】
ところが、打球停止ボタンはグリップ本体に固定設置された状態にあるため、遊技者がグリップリングを回動させている状態では、該回動操作に打球停止ボタンが追従せず、この結果、遊技者の指先の位置と打球停止ボタンの位置とが離れて遊技者がＯＮ・ＯＦＦ操作し難くなるという問題が発生する。
【０００５】
又、遊技者を確認するために例えばグリップ本体側にタッチセンサを搭載している場合は、金属メッキが施してある樹脂成形部材から遊技者がグリップリングに接触した信号をタッチセンサに伝送する線が必要になり、コスト高になってしまう。
【０００６】
このような問題を解決するため、特許文献２に開示されているように、回転許容されたハンドル把持用のグリップ回転盤側に、発射停止スイッチとしてのマイクロスイッチと、発射ストップボタンと、回動量検知ボリュームとしての可変抵抗器と、タッチセンサなどの部品を搭載することにより、遊技者の手の動きに追従して回転する発射ストップボタンのストップ操作の容易化及び配線を簡素化して低コスト化を図っている。
【０００７】
しかし、このように構成しても、グリップ本体とグリップ回転盤との組立てに際しては、対向する双方のギアを噛合させる場合に、組立方向(ギア端面方向)からのギア同士の位置合せが難しく、熟練を要したり、手間が掛かっていた。さらに、この組立時には回動量検知ボリュームの初期位置と、ギアの噛み合う位置を確認しながら組み付ける必要があり、このような位置合せを考慮した組立作業がしずらく時間が掛かり、結果的に組立工数が増えてコスト高になってしまうという新たな問題が発生する。
【０００８】
【特許文献１】特開平９−１０３８８号
【特許文献２】特許第３５７２００７号
【発明の開示】
【発明が解決しようとする課題】
【０００９】
そこでこの発明は、ハンドル本体とハンドル回転体とに２分割されたハンドルの組立てに際して、双方を連結して一体化すると同時に、ハンドル回転体を回転基準位置に位置合せさせて組立てを完了させることができる組立性能の向上を図った発射ハンドルを提供することを目的とする。
【課題を解決するための手段】
【００１０】
この発明は、遊技機の前面に回転操作を許容して取付けられるハンドル回転体と、該ハンドル回転体に手が触れたことを検知するタッチセンサと、該ハンドル回転体を回転基準位置に復帰させる方向に付勢させる復帰バネと、前記復帰バネの付勢力に抗して回転させたハンドル回転体の回転量に応じた信号を検知し、この検知信号を発射制御部に出力させて球の発射力を変える回動量検知ボリュームと、球の発射動作を停止させる発射停止スイッチと、前記発射停止スイッチをＯＮ・ＯＦＦ操作する発射停止レバーとを有する発射ハンドルであって、前記遊技機の前面に固定して取付けられるハンドル本体と、前記ハンドル本体に回転操作を許容して取付けられる手動操作用のハンドル回転体とを備え、前記ハンドル回転体に、少なくとも前記タッチセンサと回動量検知ボリュームと発射停止スイッチと発射停止レバーとを取付けて構成したことを特徴とする。
【００１１】
この発明によると、ハンドル回転体側に発射停止レバーを取付けているため、遊技中はハンドル回転体の回転に追従して発射停止レバーも回転する。このため、遊技者はハンドル回転体を把持した同じ指先の位置が発射停止レバーに対応して、レバーの操作位置が変わらず、終始同じ指で発射停止レバーを操作することができる。従って、遊技者はレバー操作に余分な負担が掛からなくなるため遊技が損なわれず、円滑にレバー操作ができる。
【００１２】
さらに、ハンドル回転体側に、タッチセンサ、回動量検知ボリューム、発射停止スイッチ、発射停止レバー等の部品を取付けているため、これらの部品に電気的に接続されるハーネスを１つの束として効率よく配線することができる。
【００１３】
この発明の別の構成では、前記ハンドル本体と前記ハンドル回転体とを連結させる連結面間のうち、前記ハンドル本体側には固定して取付けられた太陽ギアを有し、前記ハンドル回転体側には前記回動量検知ボリュームと一体に連結して回転自由に軸支された遊星ギアを有し、双方のギアを噛合させて前記ハンドル本体とハンドル回転体とを連結する連結時に、前記ハンドル本体の太陽ギアと前記ハンドル回転体の遊星ギアとを噛合させて連結する噛合連結位置を前記ハンドル回転体の回転基準位置に設定して構成することができる。
【００１４】
この発明によると、ハンドル本体とハンドル回転体とを連結して組立てる場合に、対向する一方の太陽ギアと他方の遊星ギアとを噛合させたときの噛合連結位置をハンドル回転体の回転基準位置に設定している。このため、組立時には２分割されたハンドル本体とハンドル回転体とを連結すると同時にハンドル回転体を回動量検知ボリュームの初期位置に合致させた回転基準位置に位置合せして組立てが完了する。
【００１５】
この発明の別の構成では、前記太陽ギアと遊星ギアとの両ギアを端面方向より噛合させる該両ギアの対向する互いのギア端面には、該ギア端面の回転方向の一部のみを開放して端面方向からの噛合を許容するギア開放端面と、該ギア開放端面以外のギア端面を閉鎖して端面方向からの噛合を規制するギア閉鎖端面とを形成して構成することができる。
【００１６】
この発明によると、太陽ギアと遊星ギアとを噛合させる場合、互いのギアを端面方向より対応させるギア端面間において、ギア数は多いがギア閉鎖端面によって回転基準位置以外のギア端面は閉鎖され、噛合可能なスペースだけが開放されることになる。従って、噛合可能なスペースに相当する互いのギア開放端面が対応する特定した部分でのみ噛合可能になる。このため、この特定した噛合位置をハンドル回転体の回転基準位置に定めれば、組立てと同時に回動量検知ボリュームの初期位置に合致させた回転基準位置の位置合せが完了する。
【００１７】
さらに、ギア閉鎖端面を設けることによって、噛合後は端面方向の移動を規制するため、回動途中でハンドル回転体が引き抜けないようになり、不正防止にもなる。
【００１８】
この発明の別の構成では、前記ハンドル回転体に回転自由に軸支されている遊星ギアの回転方向の位置を回転基準位置に設定して位置合せする位置合せ手段を備えて構成することができる。
【００１９】
この発明によると、太陽ギアと遊星ギアとを端面方向より噛合させる場合に、遊星ギアが回転自由のままだと噛合時に該遊星ギアが不安定に回動して噛合させ難くなるので、この遊星ギアをハンドル回転体に一時的に一体化して固定させれば遊星ギアは回動しないので噛合し易くなる。従って、位置合せ手段によって、遊星ギアを固定する回転位置を該ハンドル回転体の回転基準位置になるように位置合せしておけば、噛合と同時にハンドル回転体を回動量検知ボリュームの初期位置に合致させた回転基準位置に位置決めすることができる。この遊星ギアの位置決め固定に際しては、平面対応、凹凸対応あるいはピン孔にピンを挿通させる嵌合対応などによって位置決めすることができる。
【００２０】
この発明の別の構成の位置合せ手段としては、前記遊星ギアの外周面に形成した回転規制用の回転規制面と、前記回転規制面と対向するハンドル回転体の対向面に形成される治具挿入溝と、前記回転規制面と前記治具挿入溝との間に挿入して、前記遊星ギアの回転位置を回転規制して該遊星ギアを回転基準位置に位置決めする位置決め治具とを備えて構成することができる。
【００２１】
この発明によると、遊星ギアの回転規制面とハンドル回転体の治具挿入溝との対向面間に位置決め治具を挿入すれば、該位置決め治具が回転規制面に当接した状態で介在するため、遊星ギアの回転を規制してハンドル回転体に遊星ギアを一時的に一体化させて固定することができる。
【００２２】
このため、遊星ギアの回転規制面をハンドル回転体の回転基準位置になるように位置決めすると、遊星ギアを噛合させる場合に、ハンドル回転体の回転基準位置を位置合せして噛合させる位置が正確に定まり、ギア間の位置合せが事前に完了する。従って、組立時にはハンドル本体にハンドル回転体を連結方向に接合させるだけで組立てが完了し、組立作業が容易化する。又、太陽ギアと遊星ギアとを噛合させた噛合完了後に、該位置決め治具を引抜けば、遊星ギアは本来の回転自由状態になる。
【００２３】
前記遊星ギアの回転規制面は、例えば該遊星ギアの外周面を一部削って平面的に設ければ形成することができる。又、この回転規制面と凹形状の治具挿入溝との平面対向面間に平板状の位置決め治具を挿脱自在に介在させる治具挿入孔を構成すれば、治具を用いた位置決め手段を構成することができる。特に、ギアの噛み合う位置を噛合するまで何回も位置をずらして噛合を試みるような作業を省略でき、１回で確実に組立てることができる。
【発明の効果】
【００２４】
この発明によれば、遊技中は遊技者の同じ指先の位置が終始発射停止レバーに対応してレバーの操作位置が変わらないため遊技が損なわれず、円滑にレバー操作ができる。さらに、一方のハンドル回転体側に多くの部品を取付けているため、各々の部品に電気的に接続されるハーネスを１つの束として効率よく配線することができる。ことに、組立時の位置合せを容易化して組立性の向上を図ることができる。
【実施例】
【００２５】
この発明の一実施例を以下図面に基づいて説明する。  
図１はパチンコ遊技機の遊技台１１の表側を示し、この遊技台１１の表側上部の正面に遊技表示装置などを備えた遊技面１２を有し、その下部に上皿１３と下皿１４とを有している。さらに、遊技台１１の右下側には遊技者が遊技球（以下、球と称す）の発射を制御する球発射用の発射ハンドル１５を備えており、この発射ハンドル１５の回動量に応じて、図示しない盤面裏側の発射装置より球を１球ずつ発射させ、発射された球は搬送レール１２ａに沿って遊技面１２へと供給される。
【００２６】
図２は発射ハンドル１５の外観図を示し、この発射ハンドル１５は前面側から後面側にかけて、カバー部１６と、回動可能なハンドル回転体１７と、球の発射停止・再開を操作する発射停止レバー１８と、ハンドル本体１９とを、この順に組み付けて構成している。
【００２７】
次に、この発射ハンドル１５の内部構造を図３及び図４の分解斜視図を参照して説明すると、該発射ハンドル１５の前端面に位置するカバー部１６は、握り易くするために外表面を半球面形状に形成し、その裏側内面の中心部軸方向にはＤ型嵌合孔２０を内周面に有する枢支軸２１を突出している。このＤ型嵌合孔２０を、ハンドル本体１９の中心部軸方向に突設するＤ型嵌合軸２２に嵌合させて、カバー部１６をハンドル本体１９に一体に連結している。この場合、Ｄ型に嵌合する平面対応部分により、ハンドル本体１９に対する該カバー部１６の回転方向の取付位置を定めている。
【００２８】
前記ハンドル回転体１７は前記カバー部１６とハンドル本体１９との間に回動自由に介在される環状体で形成し、その軸心部に開口する軸支孔２３には前記カバー部１６の枢支軸２１を挿通させており、この枢支軸２１に該ハンドル回転体１７が回転自由に軸支されている。さらに、このハンドル回転体１７の前端面（カバー部１６との対向面）側には、復帰バネ２４と回動量検知ボリューム２５が搭載されている。
【００２９】
前記復帰バネ２４はコイル状を有して、カバー部１６とハンドル回転体１７との対向面間に介在し、該復帰バネ２４の一端２４ａをカバー部１６の裏側内面に突設している係止突起２６に引っ掛けて係止した状態で、他端２４ｂをハンドル回転体１７の前面側に止めネジ２７で螺着固定している。これにより、ハンドル回転体１７は係止突起２６を付勢基点に回転待機し、この回転待機した初期位置をハンドル回転体１７の回転基準位置に設定している。従って、ハンドル回転体１７が回転基準位置のときは、復帰バネ２４の付勢力を受けて該ハンドル回転体１７は回動量検知ボリューム２５の初期位置に合致させた回転基準位置に回転可能に待機している。
【００３０】
前記回動量検知ボリューム２５は発射ハンドル１５の軸方向に沿って配設され、その前面側に四角形体２５ａを有し、後面側には断面Ｄ型のＤ型回転軸２５ｂを有している。そして、前面側の四角形体２５ａをハンドル回転体１７の前面側に四角形状に開口している回り止め凹部２８に嵌合させた状態で後面側のＤ型回転軸２５ｂを、ハンドル回転体１７の後面側に配設される後述する遊星ギアＧ１の軸心部に開口するＤ型軸孔２９に一体に嵌合させている。この遊星ギアＧ１はハンドル本体１９の前面側に一体形成された太陽ギアＧ２(図８参照)と噛合しており、復帰バネ２４の付勢力に抗して回転させたハンドル回転体１７が回転するに伴って遊星ギアＧ１は回転し、この遊星ギアＧ１の回転に伴ってハンドル回転体１７の回動量を検知するものである。
【００３１】
このように、回動量検知ボリューム２５はハンドル回転体１７の回転量に応じた信号を検知し、この検知信号を図示しない発射制御部に出力させて球の発射力を調整するように変えるものである。
【００３２】
一方、ハンドル回転体１７の後面（ハンドル本体１９との対向面）側には、遊星ギアＧ１と、タッチセンサＳと、発射停止スイッチＳＷ１と、発射停止レバー１８とを搭載している。
【００３３】
前記遊星ギアＧ１はＤ型軸体の外周面の一部に、半円弧状にギアを形成し、該ギアと反対側の外周面の他部に断面Ｄ型の平面部となる回転規制用の回転規制面３０を形成している。この回転規制面３０と対向するハンドル回転体１７の対向面には平面的に凹部対応する治具挿入用の凹溝３１を形成している。そして、回転規制面３０と凹溝３１とを対向させたとき、その対向面間に平面対応する治具挿入用の空間が形成され、この空間に、図５及び図６に示すように、平板状の位置決め治具３２を挿入・離脱自在に設けている。この位置決め治具３２を挿入することにより、前記遊星ギアＧ１はハンドル回転体１７と一体化して回転規制され、該遊星ギアＧ１の回転位置を回転基準位置に位置決めするものである。
【００３４】
この場合、平板状の位置決め治具３２の厚さにより同厚さ方向に対応するハンドル回転体１７の径方向の位置決めを行い。位置決め治具３２幅長さによってハンドル回転体１７の回転方向の位置決めを行う。
【００３５】
このように位置決めすると、遊星ギアＧ１を太陽ギアＧ２に噛合させる場合に、ハンドル回転体１７の回転基準位置を位置合せして噛合させる位置が正確に定まり、端面方向から噛合させるギア間の位置合せが事前に完了する。従って、組立時にはハンドル本体１９にハンドル回転体１７を軸方向に接合させるだけで双方の連結が完了し、組立作業が容易化する。
【００３６】
さらに、前記カバー部１６、ハンドル回転体１７、ハンドル本体１９は樹脂成形部材にて形成され、このうちハンドル回転体１７に対しては外表面に金属メッキを施し、内面側にタッチセンサＳを配設している。これにより、手がハンドル回転体１７の外面に接触することにより変化する静電容量に基づいて、手の接触の有無を検知してタッチ信号を出力させる。
【００３７】
前記発射停止スイッチＳＷは、球の発射動作を停止させるスイッチであって、発射停止レバー１８によって操作される。この発射停止レバー１８は該レバー１８の軸支部としての内端部がハンドル回転体１７の後端面に軸支され、この軸支部を回動支点に該レバー１８の外端部がハンドル回転体１７の外周面より押下可能に少し突設させている。
【００３８】
そして、発射停止レバー１８を指先で押下操作している間、発射停止スイッチＳＷは発射停止信号を出力する。一方、発射停止レバー１８の押下操作を止め、発射停止レバー１８から指先を離すと、発射停止スイッチＳＷのアクチュエータの反力により該発射停止レバー１８は元の位置に押し戻され、発射停止信号は遮断されて再び発射可能になる。
【００３９】
この場合、ハンドル回転体１７側に発射停止レバー１８を取付けているため、遊技中はハンドル回転体１７の回転に追従して発射停止レバー１８も同方向に回転する。このため、遊技者はハンドル回転体１７を把持している同じ指先の位置が発射停止レバー１８に対応して、該レバー１８の操作位置が変わらず、終始同じ指で発射停止レバー１８を操作することができる。
【００４０】
つまり、遊技者は該レバー１８を回動操作している途中であっても、そのままの握り姿勢でレバー操作することができ、レバー操作時に手に余分な負担が掛からなくなるため遊技が損なわれず、円滑に発射・停止操作ができる。
【００４１】
さらに、ハンドル回転体１７側に、タッチセンサＳ、回動量検知ボリューム２５、発射停止スイッチＳＷ、発射停止レバー１８等の部品を取付けているため、これらの部品に電気的に接続されるハーネスを１つの束として効率よく配線することができる利点がある。又、ハンドル回転体１７の外周面には回動操作し易いように凹部や凸部などの指掛け部（図１参照）を備えてもよく、あるいは指挿入穴などの回動可能な工夫を施して構成してもよい。
【００４２】
前記ハンドル本体１９は、図７及び図８にも示すように、前面中心部にＤ型嵌合軸２２と、該同心円上に半円形状の太陽ギアＧ２を有している。このＤ型嵌合軸２２に前記したカバー部１６の枢支軸２１を嵌合させて該ハンドル本体１９にカバー部１６を回り止めし、図示しないビスによって螺着固定して一体に連結する。
【００４３】
前記太陽ギアＧ２に上述した遊星ギアＧ１を噛合させ、該固定位置の太陽ギアＧ２を中心に遊星ギアＧ１は噛合して、ほぼ半周長さ回転許容されている。この場合、一方の太陽ギアＧ２と他方の遊星ギアＧ１とを噛合させたときの噛合連結位置をハンドル回転体１７の回転基準位置に設定している。このため、組立時にはハンドル本体１９とハンドル回転体１７とを連結すると同時に、ハンドル回転体１７を回転基準位置に位置合せして組立てを完了させるものである。
【００４４】
前記両ギアＧ１，Ｇ２の噛合連結位置を定める手段として、前記太陽ギアＧ２と遊星ギアＧ１との両ギアＧ１，Ｇ２を端面方向より噛合させる該両ギアＧ１，Ｇ２の対向する互いのギア端面には、図９に示すように、該ギア端面の回転方向の一部のみを開放して端面方向からの噛合を許容するギア開放端面３３と、該ギア開放端面３３以外のギア端面を閉鎖して端面方向からの噛合を規制するギア閉鎖端面３４とを形成している。
【００４５】
このように、ギア開放端面３３とギア閉鎖端面３４とを形成した特殊なギア形状を持たせることによって、太陽ギアＧ２と遊星ギアＧ１とを噛合させる場合に、互いのギアＧ１，Ｇ２を端面方向より対応させるギア端面間において、ギア数は多いがギア閉鎖端面３４によって回転基準位置以外のギア端面は閉鎖され、噛合可能なスペースだけが開放されることになる。従って、噛合可能なスペースに相当する互いのギア開放端面３３が対応する特定した部分でのみ噛合可能になる。このため、この特定した噛合位置をハンドル回転体１７の回転基準位置に定めれば、組立てと同時に回転基準位置の位置合せが完了する。
【００４６】
さらに、ギア閉鎖端面３４を設けることによって、図１０に示すように、噛合後に回転移動したときは該ギア閉鎖端面３４により端面方向のギアの移動を規制するため、回動途中でハンドル回転体１７が引き抜けないようになり、不正防止にもなる。
【００４７】
前記カバー部１６とハンドル回転体１７とが互いにほぼ同外径の環状部を有して軸方向に連結対応する外周縁部と、同じくハンドル回転体１７とハンドル本体１９とが互いにほぼ同外径の環状部を有して軸方向に連結対応する外周縁部とには凸環状部１６ａ，１９ａと凹環状部１７ａ，１７ｂとを有しており、これらを凹凸対応させることによってハンドル回転体１７を回動可能に接合させている。さらに、ハンドル本体１９の外周縁部にはハンドル回転体１７の回転量を規制する回転規制ガイド溝３５を設けている。又、前記タッチ信号・球発射停止信号・ハンドル回動量信号については、遊技台の盤面裏側の発射装置を制御する図示しない発射制御部へと出力されることになる。図中、３６はナットを示し、３７は回動規制ガイド片を示す。
【００４８】
このように構成された発射ハンドル１５を組立てる際は、先ず、ハンドル回転体１７の前端面に、復帰バネ２４と回動量検知ボリューム２５を搭載し、後端面に、発射停止レバー１８とタッチセンサＳと発射停止スイッチＳＷと遊星ギアＧ１と太陽ギアＧ２とナット３６とをそれぞれ取付ける。
【００４９】
このとき、遊星ギアＧ１は回転基準位置に取付けられるが回転自由なため、噛合時に僅かに回転するおそれがあるので、ハンドル回転体１７の凹溝３１に位置決め治具３２を挿入する。これにより、図６に示すように、位置決め治具３２が遊星ギアＧ１の回転規制面３０に平面対応して該遊星ギアＧ１を回転基準位置に回り止めさせる。この位置決め状態で該ハンドル回転体１７をハンドル本体１９に連結させればよい。
【００５０】
又、太陽ギアＧ２と遊星ギアＧ１とを噛合させた噛合完了後に、該位置決め治具３２を引抜けば、遊星ギアＧ１は本来の回転自由状態になる。その後、復帰バネ２４の一端２４ａを係止突起２６に係止させてカバー部１６とハンドル回転体１７とを連結するとともに、中心部を合せてハンドル本体１９のＤ型嵌合軸２２に、カバー部１６のＤ型嵌合孔２０を嵌合対応させることで一体化して組立てが完了する。
【００５１】
この発明の構成は請求項に示される技術思想に基づいて応用することができ、上述の一実施例の構成のみに限定されるものではない。
【図面の簡単な説明】
【００５２】
【図１】パチンコ遊技機の遊技台の表側を示す外観斜視図。
【図２】発射ハンドルの外観斜視図。
【図３】発射ハンドルを前面側から見た分解斜視図。
【図４】発射ハンドルを後面側から見た分解斜視図。
【図５】位置決め治具の使用前の状態を示す斜視図。
【図６】位置決め治具の使用中の状態を示す斜視図。
【図７】ハンドル回転体とハンドル本体との関係を示す斜視図。
【図８】ハンドル本体上でのギアの噛合状態を示す斜視図。
【図９】太陽ギアと遊星ギアとの噛合前の状態を示す要部斜視図。
【図１０】太陽ギアと遊星ギアとの噛合後の状態を示す要部斜視図。
【符号の説明】
【００５３】
１１…遊技台
１５…発射ハンドル
１７…ハンドル回転体
１８…発射停止レバー
１９…ハンドル本体
２５…回動量検知ボリューム
３０…回転規制面
３１…凹溝
３２…位置決め治具
３３…ギア開放端面
３４…ギア閉鎖端面
Ｇ１…遊星ギア
Ｇ２…太陽ギア
Ｓ…タッチセンサ
ＳＷ…発射停止スイッチ
【図１】
2006271480.tif 000003
【図２】
2006271480.tif 000004
【図３】
2006271480.tif 000005
【図４】
2006271480.tif 000006
【図５】
2006271480.tif 000007
【図６】
2006271480.tif 000008
【図７】
2006271480.tif 000009
【図８】
2006271480.tif 000010
【図９】
2006271480.tif 000011
【図１０】
2006271480.tif 000012